(57)【要約】  空気調和機の室外機は、天板パネルと、天板パネルの下方に設けられた熱交換器と、熱交換器の上面と天板パネルの下面との間に設けられ、熱交換器の上面に接触するブロック下面と、天板パネルの下面に接触するブロック上面とを有する複数の同一形状のブロックが連結された連結体と、を備える。
2018142537.tif 000002
【特許請求の範囲】
【請求項１】
天板パネルと、
前記天板パネルの下方に設けられた熱交換器と、
前記熱交換器の上面と前記天板パネルの下面との間に設けられ、前記熱交換器の上面に接触するブロック下面と、前記天板パネルの下面に接触するブロック上面とを有する複数の同一形状のブロックが連結された連結体と、
を備える空気調和機の室外機。
【請求項２】
前記ブロックは、
本体と、
前記本体の一側端に設けられ、前記ブロック下面から上方に延び、前記本体との間に第１の空間が形成された第１の爪と、
前記本体の他測端に設けられ、前記ブロック上面から下方に延び、前記本体との間に第２の空間が形成された第２の爪と、を有し、
前記連結体は、
一方の前記ブロックの前記第１の爪が第２の空間に嵌まり、他方の前記ブロックの前記第２の爪が前記第１の空間に嵌まることにより、複数の前記ブロックが直線状に連結されるものである
請求項１記載の空気調和機の室外機。
【請求項３】
前記ブロックは、
前記第１の爪から外側に延び、前記第１の爪に対し屈曲する面を有する第１の副爪と、
前記第２の爪から外側に延びた先端に設けられ、前記第２の爪との間に空間が形成された第２の副爪と、を更に有し、
前記連結体は、
一方の前記ブロックの前記第１の副爪の一面と、他方の前記ブロックの前記第２の副爪の前記本体側の面とが係合して、複数の前記ブロックが屈曲して連結されるものである
請求項２記載の空気調和機の室外機。
【請求項４】
前記ブロックは、
前記第２の爪から外側に延びる嵌め板を更に有し、
前記第１の爪には、上下方向に延びる切欠き辺が形成されており、
前記連結体は、
一方の前記ブロックの前記第１の爪の前記切欠き辺に、他方の前記ブロックの前記嵌め板の先端が当たって、複数の前記ブロックが屈曲して連結されるものである
請求項３記載の空気調和機の室外機。
【請求項５】
前記ブロックは、
前記第１の爪よりも内側に設けられ、前記ブロック下面から上方に延び、前記第１の爪との間に空間が形成されたブロック壁を更に有し、
前記連結体は、
一方の前記ブロックの前記第２の副爪の外側面と、他方の前記ブロックの前記ブロック壁の外側面とが係合して、複数の前記ブロックが直線状に連結されるものである
請求項３又は４記載の空気調和機の室外機。
【請求項６】
前記ブロックは、樹脂からなる
請求項１〜５のいずれか１項に記載の空気調和機の室外機。
【請求項７】
前記ブロック上面は、前記天板パネルの下面の形状と同一形状をなす
請求項１〜６のいずれか１項に記載の空気調和機の室外機。
【発明の詳細な説明】
【技術分野】
【０００１】
本発明は、熱交換器を備える空気調和機の室外機に関する。
【背景技術】
【０００２】
従来、熱交換器を備える空気調和機の室外機が知られている。近年、空気調和機の室外機として、高い馬力を有する大型の室外機が開発されている。一方、空気調和機の室外機として、設置する上で必要なスペースが少ない小型の室外機も開発されている。このように、空気調和機の室外機の大きさは、大小様々であるため、熱交換器の寸法と筐体の寸法とが合わず、熱交換器の上面と、熱交換器の上部を覆う天板パネルの下面との間に隙間が生じてしまう場合がある。隙間は、熱交換効率の低下を引き起こし、複数の空気調和機の室外機を縦方向に積み上げていく際の段積強度の低下も引き起こすおそれがある。ここで、特許文献１には、Ｌ字型の熱交換器を備える空気調和機の室外機が開示されている。特許文献１は、熱交換器の上端面と、熱交換器の上部を覆う外胴の下面との間にパッキング材を介在させている。特許文献１は、パッキング材によって、熱交換器の上端面と、外胴の下面との間の隙間を埋めようとするものである。
【先行技術文献】
【特許文献】
【０００３】
【特許文献１】特開２００２−２６７２０９号公報
【発明の概要】
【発明が解決しようとする課題】
【０００４】
しかしながら、特許文献１の空気調和機の室外機は、単一のパッキング材を用いて、熱交換器の上端面の全面と、外胴の下面との間の隙間を埋めようとしている。このため、パッキング材の寸法が大きい。従って、パッキング材を製造する上で、大きい金型を使用する必要があり、製造コストがかかる。【０００５】
本発明は、上記のような課題を解決するためになされたもので、製造コストを低減する空気調和機の室外機を提供するものである。
【課題を解決するための手段】
【０００６】
本発明に係る空気調和機の室外機は、天板パネルと、天板パネルの下方に設けられた熱交換器と、熱交換器の上面と天板パネルの下面との間に設けられ、熱交換器の上面に接触するブロック下面と、天板パネルの下面に接触するブロック上面とを有する複数の同一形状のブロックが連結された連結体と、を備える。
【発明の効果】
【０００７】
本発明によれば、熱交換器の上面と天板パネルの下面との間に設けられる連結体は、複数の同一形状のブロックが連結されたものである。このため、ブロックは、小さい金型を用いて量産することができる。従って、製造コストを低減することができる。
【図面の簡単な説明】
【０００８】
【図１】本発明の実施の形態１に係る空気調和機の室外機１を示す斜視図である。
【図２】本発明の実施の形態１に係る空気調和機の室外機１の内部を示す斜視図である。
【図３】本発明の実施の形態１に係る空気調和機の室外機１の内部を示す正面図である。
【図４】本発明の実施の形態１に係る空気調和機の室外機１の側面断面図である。
【図５】本発明の実施の形態１における連結体２０を示す斜視図である。
【図６】本発明の実施の形態１におけるブロック１３を示す正面図である。
【図７】本発明の実施の形態１に係る空気調和機の室外機１の側面断面図である。
【図８】本発明の実施の形態１におけるブロック１３の一端を示す斜視図である。
【図９】本発明の実施の形態１におけるブロック１３の他端を示す斜視図である。
【図１０】本発明の実施の形態１における連結体２０を示す斜視図である。
【図１１】本発明の実施の形態１における連結体２０を示す斜視図である。
【発明を実施するための形態】
【０００９】
実施の形態１．
以下、本発明に係る空気調和機の室外機の実施の形態について、図面を参照しながら説明する。図１は、本発明の実施の形態１に係る空気調和機の室外機１を示す斜視図、図２は、本発明の実施の形態１に係る空気調和機の室外機１の内部を示す斜視図である。この図１及び図２に基づいて、空気調和機の室外機１について説明する。図１及び図２に示すように、空気調和機の室外機１は、レグ８と、底面板１２と、意匠パネル１ａと、モーターサポート１１と、プロペラファン９と、熱交換器１０と、連結体２０とを備えている。
【００１０】
図３は、本発明の実施の形態１に係る空気調和機の室外機１の内部を示す正面図である。図３に示すように、レグ８は、床等に載置され、空気調和機の室外機１の全体を支持する。底面板１２は、レグ８に取り付けられる板状の部材であり、上面に意匠パネル１ａ、モーターサポート１１及び熱交換器１０が載置される土台となる。意匠パネル１ａは、正面パネル３、サービスパネル４、右側面パネル５、左側面パネル６、カバーパネル７及び天板パネル２を有している。正面パネル３は、プロペラファン９の前方に取り付けられる板状の部材であり、プロペラファン９によって空気が吸い込まれる吸込み口３ｂが形成されている。なお、正面パネル３には、吸込み口３ｂを覆うカバー３ａが取り付けられている。
【００１１】
サービスパネル４は、正面パネル３の側方に取り付けられる板状の部材であり、サービスパネル４が開かれることによって、空気調和機の室外機１の内部にアクセスすることができる。これにより、空気調和機の室外機１のメンテナンスが実施される。右側面パネル５は、サービスパネル４の側方に取り付けられる板状の部材であり、プロペラファン９の右側方を覆っている。左側面パネル６は、正面パネル３の側方に取り付けられる板状の部材であり、プロペラファン９の左側方を覆っている。カバーパネル７は、サービスパネル４の下方に取り付けられる板状の部材である。天板パネル２は、空気調和機の室外機１の上面を構成する板状の部材である。天板パネル２は、熱交換器１０の上部を覆い、正面パネル３、サービスパネル４及び右側面パネル５の上端部に取り付けられる。天板パネル２の下面２ａは、曲面形状をなしている。
【００１２】
図４は、本発明の実施の形態１に係る空気調和機の室外機１の側面断面図であり、図３のＡ−Ａ断面図である。図４に示すように、モーターサポート１１は、底面板１２から上方に延びると共に熱交換器１０に取り付けられ、プロペラファン９を支持する。モーターサポート１１は、上端部から前方に延びて、天板パネル２の下面２ａに取り付けられる。プロペラファン９は、モーターサポート１１に取り付けられており、正面パネル３に形成された吸込み口３ｂから空気を吸い込んで、空気を熱交換器１０に送る。熱交換器１０は、底面板１２から立設し、プロペラファン９によって送られた空気と冷媒とを熱交換する。熱交換器１０は、上面視において、Ｌ字状をなしており、天板パネル２の下方に設けられている。
【００１３】
図５は、本発明の実施の形態１における連結体２０を示す斜視図である。図５に示すように、連結体２０は、複数の同一形状のブロック１３が連結されたものである。本実施の形態１では、４個のブロック１３の場合について例示しているが、ブロック１３の数は３個以下でもよいし５個以上でもよい。ブロック１３の数は、Ｌ字状の熱交換器１０の短辺の長さ及び長辺の長さ等に応じた個数とすることができる。連結体２０は、熱交換器１０の上端部１０ａに設けられており、直線状に連結された３個のブロック１３が、Ｌ字状の熱交換器１０の長辺の上面に取り付けられ、３個のブロック１３のうち１個のブロック１３に垂直に連結された１個のブロック１３が、Ｌ字状の熱交換器１０の短辺の上面に取り付けられている。
【００１４】
図６は、本発明の実施の形態１におけるブロック１３を示す正面図である。図６に示すように、ブロック１３は、例えばプラスチック等の樹脂からなり、本体１４と、下爪１３ｃと、衝立１３ｆと、第１の爪１３ａ１と、第２の爪１３ａ２と、第１の副爪１３ｂ１と、第２の副爪１３ｂ２と、ブロック壁１３ｈとを有している。ブロック１３は、熱交換器１０の上面に接触するブロック下面１３ｄと、天板パネル２の下面に接触するブロック上面１３ｅとを有する。ブロック１３が樹脂であれば、金型による成形が容易である。本体１４は、長手方向に延びる中空状の部材である。これにより、ブロック１３は、強度を保ちつつ軽量化することができる。本体１４は、ブロック上面１３ｅが段形状となっており、最も高い位置にある第１の上端面１３ｅ１と、第１の上端面１３ｅ１よりも低い第２の上端面１３ｅ２とを有している。
【００１５】
図７は、本発明の実施の形態１に係る空気調和機の室外機１の側面断面図であり、図４の斜線に囲まれた部分の拡大図である。図７に示すように、第１の上端面１３ｅ１は、天板パネル２の下面２ａに密着している。図７では、第１の上端面１３ｅ１と天板パネル２との間には隙間が生じているようにみえるが、これは、ブロック１３と天板パネル２との位置関係を明確化するために故意に隙間が生じるように図示しているに過ぎず、実際には、隙間はない。また、第１の上端面１３ｅ１は、天板パネル２の下面２ａの形状と同一形状をなしている。即ち、第１の上端面１３ｅ１は、天板パネル２の下面２ａと同一の曲面形状をなしている。このため、第１の上端面１３ｅ１と天板パネル２の下面２ａとの密着性が高まり、隙間はより生じない。なお、第１の上端面１３ｅ１は、天板パネル２の下面２ａとの形状と相似形状をなしていてもよい。
【００１６】
これにより、天板パネル２の上部から下方に荷重がかけられても、ブロック１３の第１の上端面１３ｅ１が押さえるため、天板パネル２が下方に撓むことを防止することができる。従って、空気調和機の室外機１の強度を向上させて、複数の空気調和機の室外機１を縦方向に積み上げていく際の段積強度の低下を抑制することができる。また、空気が逃げる隙間が生じないため、熱交換器１０の熱交換効率が低下することを抑制することもできる。
【００１７】
また、図７に示すように、第２の上端面１３ｅ２には、モーターサポート１１が載置されている。このように、モーターサポート１１が、第１の上端面１３ｅ１ではなく、第１の上端面１３ｅ１より低い第２の上端面１３ｅ２に載置されているため、モーターサポート１１によって、熱交換器１０の上端面と天板パネル２の下面２ａとの間に隙間が生じることを抑制することができる。これにより、空気調和機の室外機１の強度を向上させて、複数の空気調和機の室外機１を縦方向に積み上げていく際の段積強度の低下を抑制することができる。また、空気が逃げる隙間が生じないため、熱交換器１０の熱交換効率が低下することを抑制することもできる。
【００１８】
下爪１３ｃは、本体１４のブロック下面１３ｄから下方に延び、幅方向の両側端部に設けられた一対の部材である。下爪１３ｃは、図６に示すように、本体１４に複数設けられている。図６では、３個の下爪１３ｃが本体１４に設けられている場合について例示している。図７に示すように、下爪１３ｃは、熱交換器１０の上端部１０ａを覆い、熱交換器１０の両側端部を挟持する。これにより、ブロック１３は、熱交換器１０の上端部１０ａに安定して固定される。
【００１９】
図６に示すように、衝立１３ｆは、本体１４の内部に設けられ、本体１４のブロック下面１３ｄからブロック上面１３ｅまで延びる板状の部材である。衝立１３ｆは、複数設けられており、これにより、複数の空気調和機の室外機１が縦方向に積み上げられて天板パネル２の外側から下方に荷重がかけられても、天板パネル２を強固に支えることができる。
【００２０】
図８は、本発明の実施の形態１におけるブロック１３の一端を示す斜視図である。図８に示すように、第１の爪１３ａ１は、本体１４の長手方向の一側端に設けられ、ブロック下面１３ｄから上方に延び、幅方向に延在する板状の部材である。第１の爪１３ａ１と本体１４との間には第１の空間が形成されている。第１の爪１３ａ１は、鉛直面を有する。第１の爪１３ａ１には、上下方向に延びる切欠き辺１３ｉが形成されている。ブロック壁１３ｈは、第１の爪１３ａ１よりも内側に設けられ、ブロック下面１３ｄから上方に延び、幅方向に延在する板状の部材である。第１の爪１３ａ１の鉛直面とブロック壁１３ｈとは平行であり、間隔が空いている。即ち、ブロック壁１３ｈと第１の爪１３ａ１との間には空間が形成されている。
【００２１】
第１の副爪１３ｂ１は、第１の爪１３ａ１から本体１４の長手方向の外側に延び、長手方向に延在して第１の爪１３ａ１と垂直な面を有する板状の部材である。第１の副爪１３ｂ１は、鉛直面を有する。第１の副爪１３ｂ１の鉛直面は、第１の爪１３ａ１の鉛直面に対し垂直に設けられている。なお、第１の副爪１３ｂ１は、第１の爪１３ａ１から外側に延び、第１の爪１３ａ１に対し屈曲する面を有していてもよい。
【００２２】
図９は、本発明の実施の形態１におけるブロック１３の他端を示す斜視図である。図９に示すように、第２の爪１３ａ２は、本体１４の長手方向の他測端に設けられ、ブロック上面１３ｅから下方に延び、幅方向に延在する板状の部材である。第２の爪１３ａ２と本体１４との間には第２の空間が形成されている。第２の爪１３ａ２は、鉛直面を有する。ここで、第２の爪１３ａ２の鉛直面と第１の爪１３ａ１の鉛直面とは平行である。第２の爪１３ａ２には、嵌め板１３ｇが設けられており、嵌め板１３ｇは、第２の爪１３ａ２から本体１４の長手方向の外側に延びる部材である。即ち、嵌め板１３ｇは、第２の爪１３ａ２の鉛直面に対し垂直に設けられている。
【００２３】
第２の副爪１３ｂ２は、第２の爪１３ａ２から本体１４の長手方向の外側に延びた先端から幅方向に延在して第２の爪１３ａ２と平行な面を有する板状の部材である。第２の副爪１３ｂ２は、第２の爪１３ａ２から外側に延びた先端に設けられ、第２の爪１３ａ２との間に空間が形成される。ここで、第２の副爪１３ｂ２は、本体１４の長手方向において、嵌め板１３ｇよりも外側に張り出している。また、第２の爪１３ａ２と第２の副爪１３ｂ２との間の距離は、第１の爪１３ａ１の鉛直面とブロック壁１３ｈとの間の距離と同一か又は若干短い。
【００２４】
図１０は、本発明の実施の形態１における連結体２０を示す斜視図である。次に、２個のブロック１３が直線状に連結される場合について説明する。図１０に示すように、一方のブロック１３が下方から上方に向けて移動され（矢印Ｚ１）、他方のブロック１３が上方から下方に向けて移動される（矢印Ｚ２）。このとき、一方のブロック１３の第１の爪１３ａ１の鉛直面のうち本体１４側の面に、他方のブロック１３の第２の爪１３ａ２の鉛直面のうち本体１４側の面が押し当てられて係合する。即ち、一方のブロック１３の第１の爪１３ａ１が第２の空間に嵌まり、他方のブロック１３の第２の爪１３ａ２が第１の空間に嵌まる。また、他方のブロック１３の第２の副爪１３ｂ２の外側面が、一方のブロック１３のブロック壁１３ｈの外側面に押し当てられて係合する。これにより、２個のブロック１３が直線状に連結される。
【００２５】
図１１は、本発明の実施の形態１における連結体２０を示す斜視図である。次に、２個のブロック１３が垂直に連結される場合について説明する。図１１に示すように、一方のブロック１３が長手方向に向けて移動され（矢印Ｘ１）、他方のブロック１３が幅方向に移動される（矢印Ｘ２）。このとき、一方のブロック１３の第１の副爪１３ｂ１の鉛直面のうち一面と、他方のブロック１３の第２の副爪１３ｂ２の鉛直面のうち本体１４側の面とが向かい合って係合する。また、他方のブロック１３の嵌め板１３ｇの先端が、一方のブロック１３の第１の爪１３ａ１の切欠き辺１３ｉに押し当てられて接触する。これにより、２個のブロック１３が垂直に連結される。なお、本実施の形態１では、２個のブロック１３が垂直に連結される場合について例示したが、２個のブロックは垂直以外に屈曲して連結されてもよい。この場合、第１の副爪１３ｂ１は、第１の爪１３ａ１に対し垂直以外の屈曲する面を有している。
【００２６】
本実施の形態１によれば、熱交換器１０の上面と天板パネル２の下面２ａとの間に設けられる連結体２０は、複数の同一形状のブロック１３が連結されたものである。このため、ブロック１３は、小さい金型を用いて量産することができる。従って、製造コストを低減することができる。従来、熱交換器の上面と、熱交換器の上端部を覆う外胴の下面との間にパッキング材を介在させた空気調和機の室外機が知られている。しかし、パッキング材による隙間防止の効果は低い。熱交換器と外胴との間に、単にパッキング材を設けただけでは、隙間を塞ぐことは難しく、熱交換効率の低下及び段積強度の低下が懸念される。これに対し、本実施の形態１は、熱交換器１０の上面と天板パネル２の下面２ａとの間に設けられる連結体２０が、複数の同一形状のブロック１３が連結されているため、熱交換器１０と天板パネル２との間の隙間のほとんどを塞ぐことができる。このため、熱交換効率の低下及び段積強度の低下を抑制することができる。
【００２７】
また、ブロック１３は、本体１４と、本体１４の一側端に設けられ、ブロック下面１３ｄから上方に延び、本体１４との間に第１の空間が形成された第１の爪１３ａ１と、本体１４の他測端に設けられ、ブロック上面１３ｅから下方に延び、本体１４との間に第２の空間が形成された第２の爪１３ａ２と、を有し、連結体２０は、一方のブロック１３の第１の爪１３ａ１が第２の空間に嵌まり、他方のブロック１３の第２の爪１３ａ２が第１の空間に嵌まることにより、複数のブロック１３が直線状に連結されるものである。更に、ブロック１３は、第１の爪１３ａ１よりも内側に設けられ、ブロック下面１３ｄから上方に延び、第１の爪１３ａ１との間に空間が形成されたブロック１３壁を更に有し、連結体２０は、一方のブロック１３の第２の副爪１３ｂ２の外側面と、他方のブロック１３のブロック壁１３ｈの外側面とが係合して、複数のブロック１３が直線状に連結されるものである。このため、複数のブロック１３を、直線状に強固且つ一体的に取り付けることができる。
【００２８】
また、ブロック１３は、第１の爪１３ａ１から外側に延び、第１の爪１３ａ１に対し屈曲する面を有する第１の副爪１３ｂ１と、第２の爪１３ａ２から外側に延びた先端に設けられ、第２の爪１３ａ２との間に空間が形成された第２の副爪１３ｂ２と、を更に有し、連結体２０は、一方のブロック１３の第１の副爪１３ｂ１の一面と、他方のブロック１３の第２の副爪１３ｂ２の本体側の面とが係合して、複数のブロック１３が屈曲して連結されるものである。更に、ブロック１３は、第２の爪１３ａ２から外側に延びる嵌め板１３ｇを更に有し、第１の爪１３ａ１には、上下方向に延びる切欠き辺１３ｉが形成されており、連結体２０は、一方のブロック１３の第１の爪１３ａ１の切欠き辺１３ｉに、他方のブロック１３の嵌め板１３ｇの先端が当たって、複数のブロック１３が屈曲して連結されるものである。このため、複数のブロック１３を、屈曲した状態で強固且つ一体的に取り付けることができる。
【００２９】
以上説明したように、複数のブロック１３は、直線状及び屈曲状のいずれにも連結される。このため、熱交換器１０の形状が変更されても、熱交換器１０の形状に最適な形状の連結体２０を構成することができる。従って、連結体２０は、汎用性が極めて高い。また、ブロック１３は、樹脂からなる。このため、金型を用いた成形が容易である。
【００３０】
更に、ブロック１３のブロック上面１３ｅは、天板パネル２の下面２ａの形状と同一形状をなす。このため、このため、第１の上端面１３ｅ１と天板パネル２の下面２ａとの密着性が高まり、隙間はより生じない。これにより、天板パネル２の上部から下方に荷重がかけられても、ブロック１３の第１の上端面１３ｅ１が押さえるため、天板パネル２が下方に撓むことを防止することができる。従って、空気調和機の室外機１の強度を向上させて、複数の空気調和機の室外機１を縦方向に積み上げていく際の段積強度の低下を抑制することができる。また、空気が逃げる隙間が生じないため、熱交換器１０の熱交換効率が低下することを抑制することもできる。
【符号の説明】
【００３１】
１  空気調和機の室外機、１ａ  意匠パネル、２  天板パネル、２ａ  下面、３  正面パネル、３ａ  カバー、３ｂ  吸込み口、４  サービスパネル、５  右側面パネル、６  左側面パネル、７  カバーパネル、８  レグ、９  プロペラファン、１０  熱交換器、１０ａ  上端部、１１  モーターサポート、１２  底面板、１３  ブロック、１３ａ１  第１の爪、１３ａ２  第２の爪、１３ｂ１  第１の副爪、１３ｂ２  第２の副爪、１３ｃ  下爪、１３ｄ  ブロック下面、１３ｅ  ブロック上面、１３ｅ１  第１の上端面、１３ｅ２  第２の上端面、１３ｆ  衝立、１３ｇ  嵌め板、１３ｈ  ブロック壁、１３ｉ  切欠き辺、１４  本体、２０  連結体。
【図１】
2018142537.tif 000003
【図２】
2018142537.tif 000004
【図３】
2018142537.tif 000005
【図４】
2018142537.tif 000006
【図５】
2018142537.tif 000007
【図６】
2018142537.tif 000008
【図７】
2018142537.tif 000009
【図８】
2018142537.tif 000010
【図９】
2018142537.tif 000011
【図１０】
2018142537.tif 000012
【図１１】
2018142537.tif 000013
【手続補正書】
【提出日】令和1年5月15日(2019.5.15)
【手続補正１】
【補正対象書類名】特許請求の範囲
【補正対象項目名】全文
【補正方法】変更
【補正の内容】
【特許請求の範囲】
【請求項１】
天板パネルと、
前記天板パネルの下方に設けられた熱交換器と、
前記熱交換器の上面と前記天板パネルの下面との間に設けられ、前記熱交換器の上面に接触するブロック下面と、前記天板パネルの下面に接触するブロック上面とを有する複数の同一形状のブロックが連結された連結体と、
を備える空気調和機の室外機。
【請求項２】
前記ブロックは、
本体と、
前記本体の一側端に設けられ、前記ブロック下面から上方に延び、前記本体との間に第１の空間が形成された第１の爪と、
前記本体の他測端に設けられ、前記ブロック上面から下方に延び、前記本体との間に第２の空間が形成された第２の爪と、を有し、
前記連結体は、
一方の前記ブロックの前記第１の爪が第２の空間に嵌まり、他方の前記ブロックの前記第２の爪が前記第１の空間に嵌まることにより、複数の前記ブロックが直線状に連結されるものである
請求項１記載の空気調和機の室外機。
【請求項３】
前記ブロックは、
前記第１の爪から外側に延び、前記第１の爪に対し屈曲する面を有する第１の副爪と、
前記第２の爪から外側に延びた先端に設けられ、前記第２の爪との間に空間が形成された第２の副爪と、を更に有し、
前記連結体は、
一方の前記ブロックの前記第１の副爪の一面と、他方の前記ブロックの前記第２の副爪の前記本体側の面とが係合して、複数の前記ブロックが屈曲して連結されるものである
請求項２記載の空気調和機の室外機。
【請求項４】
前記ブロックは、
前記第２の爪から外側に延びる嵌め板を更に有し、
前記第１の爪には、上下方向に延びる切欠き辺が形成されており、
前記連結体は、
一方の前記ブロックの前記第１の爪の前記切欠き辺に、他方の前記ブロックの前記嵌め板の先端が当たって、複数の前記ブロックが屈曲して連結されるものである
請求項３記載の空気調和機の室外機。
【請求項５】
前記ブロックは、
前記第１の爪よりも内側に設けられ、前記ブロック下面から上方に延び、前記第１の爪との間に空間が形成されたブロック壁を更に有し、
前記連結体は、
一方の前記ブロックの前記第２の副爪の外側面と、他方の前記ブロックの前記ブロック壁の外側面とが係合して、複数の前記ブロックが直線状に連結されるものである
請求項３又は４記載の空気調和機の室外機。
【請求項６】
前記ブロックは、樹脂からなる
請求項１〜５のいずれか１項に記載の空気調和機の室外機。
【請求項７】
前記ブロック上面は、前記天板パネルの下面の形状と同一形状をなす
請求項１〜６のいずれか１項に記載の空気調和機の室外機。
【請求項８】
前記熱交換器は、上面視においてＬ字状をなしており、
前記連結体は、Ｌ字状をなしている
請求項１〜７のいずれか１項に記載の空気調和機の室外機。
【請求項９】
前記連結体は、
前記ブロック同士が嵌め込まれて連結されている
請求項１〜８のいずれか１項に記載の空気調和機の室外機。
【国際調査報告】
2018142537.tif 000014
2018142537.tif 000015
2018142537.tif 000016